Podtech/llm-jp-corpus-v4-ja_patent huggingface dataset:
(57)【要約】【課題】防護囲壁内での危険な溶剤による火災が未然に防止できると共に例えその後防護囲壁内で火災になっても不活性ガスによる初期消火ができる，即ち有効な防災設備が得られる溶剤供給装置の防災設備を得る。【解決手段】防護囲壁６内の溶剤貯蔵タンク１から常温で液体の自然発火性溶剤を半導体製造装置２に供給するための溶剤供給装置における防護囲壁６内の床面に多孔質の溶剤吸収体８を敷設し、かつこの防護囲壁６内で前記溶剤の漏れを検出して前記溶剤の供給路を遮断しておくと、漏れた溶剤が溶剤吸収体８に吸収されて発火が抑制され、その後要すれば防護囲壁６内において不活性ガスによる初期消火を可能とするようにしてなる。【選択図】        図１
2004154225.tif 000002
【特許請求の範囲】
【請求項１】
防護囲壁内の溶剤貯蔵タンクから常温で液体の自然発火性溶剤を半導体製造装置等に供給するための溶剤供給装置における前記防護囲壁内の床面に多孔質の溶剤吸収体を敷設し、かつこの防護囲壁内で前記溶剤の漏れを検出して前記溶剤の供給路を遮断しておくと、漏れた溶剤が前記溶剤吸収体に吸収されて発火が抑制され、その後要すれば前記防護囲壁内において不活性ガスによる初期消火を可能とするようにしたことを特徴とする溶剤供給装置の防災設備。
【発明の詳細な説明】
【０００１】
【発明の属する技術分野】
この発明は、常温で液体の自然発火性溶剤，中でも塩化シランを半導体製造装置等に供給するための溶剤供給装置の防災設備に関するものである。
【０００２】
【従来の技術】
従来のこの種の溶剤供給装置の防災設備を図２について説明する。図２は設備全体を示す概略図である。
【０００３】
図２において、１は塩化シランを貯蔵する溶剤貯蔵タンク、２は半導体製造装置、３は溶剤貯蔵タンク１と半導体製造装置２とを結ぶ配管、４は配管３に設けたポンプ、５は配管３に配設した電磁バルブ、６は溶剤貯蔵タンク１，配管３，ポンプ４，電磁バルブ５などを囲む防護囲壁で、これにより危険な塩化シランの貯蔵部分を隔離して安全な溶剤供給装置を構成している。さらに、７は消火剤を放射する消火設備で、火災感知センサー７ａ，消火剤貯蔵タンク７ｂ，放出ヘッド７ｃ，制御盤７ｄなどからなっている。
【０００４】
【発明が解決しようとする課題】
従来、この種の溶剤供給装置の防災設備としては、前記したように消火設備７が付いているのであるが、このように消火設備７が付いていても塩化シランを原因とする防護囲壁６内の火災に対しては、かかる消火設備７の放出ヘッド７ｃから放射する効果的な消火剤がないので、実際には消火設備７で消火できずに防護囲壁６内での電磁バルブ５の操作等により塩化シランの漏洩を遮断して火が完全に消えるまであの手この手で溶剤貯蔵タンク１を守りながら待つというのが現状で、未だに有効な消火方法，即ち有効な防災設備が存在していない。
【０００５】
【課題を解決するための手段】
この発明に係る溶剤供給装置の防災設備はかかる点に鑑みてなされたもので、防護囲壁内に敷設した溶剤吸収体により漏れた溶剤を吸収して発火を抑制することにより、防護囲壁内での危険な溶剤による火災が未然に防止できると共に例えその後防護囲壁内で火災になっても不活性ガスによる初期消火ができる，即ち有効な防災設備が得られる。
【０００６】
【発明の実施の形態】
この発明の一実施の形態を図１について説明する。図１は設備全体を示す概略図で、図中前記した従来のものと同一または相当部分には同一符号を付して説明を省略する。図１において、８は防護囲壁６内の床面に敷設した多孔質の溶剤吸収体、９はガス漏れ検知器、１０は防火ダンパーである。
【０００７】
今、防護囲壁６内で塩化シランが漏れて，それより生じるガス雰囲気をガス漏れ検知器９が検知すると、ガス漏れ検知器９から制御盤７ｄにガス漏れ信号を送る。制御盤７ｄではガス漏れ（塩化シランの漏れ）を確認すると、各電磁バルブ５を閉じて配管３を遮断して塩化シランの漏れを止めると共に防火ダンパー１０を閉じる。漏れた塩化シランは液体であるので床面の溶剤吸収体８上に広がりそのまま溶剤吸収体８に吸収される。
【０００８】
こうして漏れた全ての塩化シランが溶剤吸収体８に吸収されることにより、塩化シランの空気に接する時間，そして最終的には吸収状態での空気に接する面が少なくなって、自然発火しないので、火災を未然に防止できる。その際、このように防火ダンパー１０を閉じることにより、防護囲壁６内の空気が遮断されて塩化シランの自然発火をより効果的に押さえることができる。
【０００９】
このように防護囲壁６内に漏れた塩化シランは床面の溶剤吸収体８により吸収されて発火が抑制されるので、防護囲壁６内での漏洩塩化シランによる火災の危険性がなくなると共に配管３からの新たな塩化シランの漏洩の心配もない。よって、その後において、防護囲壁６内で火災になることがあっても、漏れた塩化シランを溶剤吸収体８により吸収しているので、消火装置７により不活性ガスなどを放出して十分に対応できる。
【００１０】
【発明の効果】
以上のように、この発明によれば防護囲壁内に敷設した溶剤吸収体により漏れた溶剤を吸収して発火を抑制することができるので、防護囲壁内での危険な溶剤による火災が未然に防止できると共に例えその後防護囲壁内で火災になっても不活性ガスによる初期消火ができる，即ち有効な防災設備が得られるという効果を奏する。
【図面の簡単な説明】
【図１】この発明の一実施の形態を示す設備全体の概略図である。
【図２】従来の設備全体を示す概略図である。
【符号の説明】
１    物質貯蔵タンク
２    半導体製造装置
３    配管
４    ポンプ
５    電磁バルブ
６    防護囲壁
７    消火設備
７ａ  火災感知センサー
７ｂ  消火剤貯蔵タンク
７ｃ  放出ヘッド
７ｄ  制御盤
８    溶剤吸収体
９    ガス漏れ検知器
【図１】
2004154225.tif 000003
【図２】
2004154225.tif 000004
(57)【要約】【課題】この発明は、飲み方が悪く、喉から首筋にかけてミルクが流れよだれかけ、エプロン、衣服を汚すのを防止するために発明されたものであり、乳児のミルク漏れによる汚れを少なくすることができ、口から漏れたミルクも乳児の身体や衣服をよごすことを防止できる哺乳ビンに装着するミルク漏れ防止具を開発・提供することにある。【解決手段】哺乳ビン（Ｘ）の胴体部に着脱可能に装着する基部（１）を設け、該基部（１）には、哺乳ビンの中心軸（α）に対して、角度を自在に変えられる変更部（２）と、乳児の顎部（Ａ）に適合し、かつ、当接して覆う覆い本体（３）を設けたことを特徴とする哺乳ビンに装着するミルク漏れ防止具。【選択図】          図３
2004154252.tif 000002
【特許請求の範囲】
【請求項１】
哺乳ビン（Ｘ）の胴体部に着脱可能に装着する基部（１）を設け、該基部（１）には、哺乳ビンの中心軸（α）に対して、角度を自在に変えられる変更部（２）と、乳児の顎部（Ａ）に適合し、かつ、当接して覆う覆い本体（３）を設けたことを特徴とする哺乳ビンに装着するミルク漏れ防止具。
【発明の詳細な説明】
【０００１】
【発明の属する技術分野】
本発明は、哺乳ビンに装着するミルク漏れ防止具に関するものである。
【０００２】
【従来の技術】
従来、乳幼児、特に、乳児の哺乳には、常時、哺乳ビンに入れた粉ミルクを微温水で溶かして作成し、該哺乳ビンの乳首部を口に含ませた状態で支えておらねばならず、大変、煩雑であった。
【０００３】
しかも、飲み方が悪いと、ミルク（哺乳ビンに入れた果汁も含む）は口の回りだけでなく、顎から首筋にかけて流れ、よだれかけやエプロン、衣服を汚すことはもちろん、体もよごれ、そのまま放置しておくと、あせもや皮膚炎の原因にもなり、不衛生であり、また、ミルクで汚れた下着やよだれかけ等が授乳の度に、毎度、毎度汚れてしまうと、その洗濯も煩雑であった。
【０００４】
【発明が解決しようとする課題】
そこで、この発明は、上記の各欠点を除去するために発明されたものであり、乳児のミルク漏れによる汚れを少なくすることができ、口から漏れたミルクも乳児の身体や衣服をよごすことを防止できる哺乳ビンに装着するミルク漏れ防止具を開発・提供することにある。
【０００５】
【課題を解決するための手段】
そのため、この発明は、乳児は、哺乳する際、口から出たミルクは顎を伝って下方に流れることに着目し、哺乳ビンの胴体部に着脱可能に装着する基部を設け、該基部には、哺乳ビンの中心軸に対して、角度を自在に変えられる変更部と、乳児の顎部に適合し、かつ、当接して覆う覆い本体を設けたミルク漏れ防止具である。
【０００６】
【発明の実施の形態】
次に、この発明の一実施例を図面に基づいて詳細に説明すると、哺乳ビン（Ｘ）の胴体部に着脱可能に装着する基部（１）を設け、該基部（１）には、哺乳ビンの中心軸（α）に対して、角度を自在に変えられる変更部（２）と、乳児の顎部（Ａ）に適合し、かつ、当接して覆う覆い本体（３）を設けたことを特徴とする哺乳ビンに装着するミルク漏れ防止具から構成される。
【０００７】
また、前記基部（１）は、哺乳ビン（Ｘ）と着脱自在に嵌挿可能に構成されており、その一例としては、弾力を有する合成樹脂を素材とし、一部を欠除したリング体であって、常に、リング内方に付勢されているものであってもよい。
【０００８】
つぎに、変更部（２）は、前記基部（１）と一体か、あるいは、基部（１）と枢支、あるいは、接合されており、かつ、乳児の顎部（Ａ）に当接する覆い本体（３）との間に位置するものであり、哺乳ビン（Ｘ）の中心軸（α）に対して角度が変更可能となるよう、軟質で復帰自在な素材で構成することが望ましいものである。
【０００９】
そして、覆い本体（３）は、前記変更部（２）と一体に接続されており、あるいは、着脱自在（取り外し可能）に設けられ、予備のものに取り替えて、衛生的に保つため、洗浄することも可能であり、覆い本体（３）の表面は、乳児の顎部（Ａ）を傷つけないよう，柔らかいシート素材、例えば、タオル地を装着したりすることも可能である。
【００１０】
【発明の効果】
この発明によると、覆い本体（３）は、哺乳ビン（Ｘ）に装着しているため、乳児の顎部（Ａ）に当てがいながら、ミルクを与えるため、ミルクが首筋や身体に流れ落ちることがなく、衣服のよごれも少なくなり、また、変更部（２）は、哺乳ビン（Ｘ）の中心軸（α）に対して角度が変更可能となるため、乳児にフィットして覆い本体（３）を位置させることが出来る等極めて有益なる効果を奏するものである。
【図面の簡単な説明】
【図１】この発明の一実施例を示す斜視図である。
【図２】図１中のＩ−Ｉ断面図である。
【図３】この発明の使用状態を示す説明図である。
【符号の説明】
１  基部
２  変更部
３  覆い本体
Ａ  乳児の顎部
Ｘ  哺乳ビン
α  哺乳ビンの中心軸
【図１】
2004154252.tif 000003
【図２】
2004154252.tif 000004
【図３】
2004154252.tif 000005
(57)【要約】【課題】骨折の超音波治療の効率を高める。【解決手段】骨接合用板１０は、（ａ）のように薄い板材１１に多数の三角形の穴１２が設けられると共に、裏面に三角形の凸部１３が設けられている。この骨接合用板１０を（ｂ）のように骨１の骨折部２の周囲に固く巻きつけた状態で、骨折部２の超音波治療を行う。この状態では、図示のように凸部１３の先端が骨１の表面に略点接触している。この状態で骨接合用板１０を超音波振動させると、この超音波振動が多数の凸部１３による上記点接触部分を介して集中的に骨１及び骨折部２に伝えられるので、骨組織の生成が速やかに行われ、超音波治療を短時間に行うことができる。【選択図】        図１
2004154480.tif 000002
【特許請求の範囲】
【請求項１】
板材に複数の穴が設けられると共に、この板材の一の面に複数の凸部が設けられていることを特徴とする骨接合用板。
【請求項２】
前記凸部は、骨接合用板が骨折部を有する骨の周面に巻きつけられたとき、前記骨の表面に略点接触するような形状を有することを特徴とする請求項１記載の骨接合用板。
【請求項３】
前記板材を波形に形成することにより前記凸部を形成することを特徴とする請求項１記載の骨接合用板。
【発明の詳細な説明】
【０００１】
【発明の属する技術分野】
本発明は、骨折の超音波治療に用いられる骨接合用板に関するものである。
【０００２】
【従来の技術】
図３に従来の骨接合用板を用いた骨折治療方法を示す。
まず、同図（ａ）に示すように、骨１の骨折部２に対して多数の穴３ａを有する１枚の骨接合用板３を用意する。尚、穴３ａに代えて骨接合用板３を網状としてもよい。
【０００３】
次に同図（ｂ）（ｃ）のように、骨折部２を突き合せた状態で骨１の骨折部２の周面に骨接合用板３を固く巻きつけることにより、骨折部２を固定する。この状態で一定期間が過ぎると、骨折部２に骨組織が生成されて骨折部２を接合固定することができる。
この骨組織の生成を促進するために、骨接合用板３に超音波振動を与える超音波治療方法が考えられる。
【０００４】
なお、この超音波振動を与える治療方法、器具に関する適当な先行特許文献はないので、記載することができない。
【０００５】
【発明が解決しようとする課題】
しかしながら、骨接合用板３に超音波振動を与えようとしても、振動を骨折部２に十分に伝えることができず、このため骨組織生成の促進効果を十分得ることができず、必要な骨組織が生成されるまで長時間を要するという問題があった。
【０００６】
本発明は上記の問題を解決するためのもので、骨折部に超音波振動を効率よく伝えることのできる骨接合用板を提供することを目的とするものである。
【０００７】
【課題を解決するための手段】
上記の目的を達成するために本発明による骨接合用板は、板材に複数の穴が設けられると共に、この板材の一の面に複数の凸部が設けられていることを特徴とするものである。
【０００８】
【作用】
従って、本発明によれば、超音波治療時には骨接合用板の上記凸部が骨の表面に接触するので、骨接合用板に加えられた超音波振動はこの接触部を介して集中的に骨及び骨折部に伝えられる。このため、従来に比べて骨組織生成の促進効果を高め、効率のよい超音波治療を行うことができる。また、上記穴を介して骨接合用板の外側の生体組織と骨及び骨折部とを接続させることができる。
【０００９】
【発明の実施の形態】
以下、本発明の実施の形態を図面と共に説明する。
図１は本発明の実施の形態による骨接合用板を示すものである。
本実施の形態による骨接合用板１０は、図１（ａ）のように薄い板材１１に多数の三角形の穴１２が設けられると共に、この穴１３を空けたことにより裏面に形成される三角形の突片からなる凸部１３が設けられてなるものである。このような骨接合用板１０は、板材１１をプレス加工することにより得ることができる。尚、穴１２及び凸部１３の形状は三角形に限らず他の形状であってもよい。
【００１０】
図１（ｂ）は、本実施の形態による骨接合用板１０を骨折部２の超音波治療に用いる場合を示す断面図で、骨接合用板１０を骨１の骨折部２の周囲に固く巻きつけた状態を示す。この状態では、図示のように凸部１３の先端が骨１の表面に略点接触している。
【００１１】
この状態で骨接合用板１０に外部の超音波発信装置から超音波信号を与え、骨接合用板１０を超音波振動させると、この超音波振動が多数の凸部１３による上記点接触部分を介して骨１及び骨折部２に伝えられる。即ち、図３の従来の凸部１３の無い骨接合用板４の場合は、超音波振動が一部拡散されて伝えられるが、本実施の形態による骨接合用板１０の場合は、超音波振動が上記点接触部分を介して集中的に骨１及び骨折部２に伝えられるので、効率のよい超音波治療を行うことができる。尚、穴１２は、骨接合用板１０の外側の生体組織と骨１及び骨折部２との間をこの穴１２を介して体液等が通過するために必要である。
【００１２】
図２は骨接合用板１０の他の実施の形態を示すもので、穴１２と凸部１３の他の形状の例を示す。
同図（ａ）は板材１１を波形に成形加工したもので、波の谷の部分を凸部１３となし、波の山の部分に穴１２を設けたものである。尚、穴１２を山の部分に設けることもできる。
同図（ｂ）は板材１１の表面に多数の凹みを形成することにより裏面側に凸部１３を形成し、他の部分に穴１２を設けたものである。
穴１２と凸部１３の形状はこのほか様々な変形が可能である。
【００１３】
【発明の効果】
以上説明したように、本発明による骨接合用板によれば、板材に複数の穴を設けると共に、この板材の一の面に複数の凸部を設けたことにより、この骨接合用板を骨折部の超音波治療に用いるために骨接合用板を骨の周囲に巻きつけると、上記凸部が骨の表面に接触するので、超音波振動をこの接触部を介して集中的に骨及び骨折部に効率的に伝えることができる。従って、骨組織生成の促進効果を従来より高めることができ、治療時間を短縮することができる。
【図面の簡単な説明】
【図１】本発明の実施の形態による骨接合用板を示す斜視図及び断面側面図である。
【図２】本発明の他の実施の形態による骨接合用板を示す斜視図及び断面側面図である
【図３】従来の骨接合用板を用いた骨折部の超音波治療方法を示す斜視図及び断面側面図である。
【符号の説明】
１  骨
２  骨折部
１０  骨接合用板
１１  板材
１２  穴
１３  凸部
【図１】
2004154480.tif 000003
【図２】
2004154480.tif 000004
【図３】
2004154480.tif 000005
(57)【要約】【課題】心棒によって人を傷付けないようにする。畳やじゅうたんなどの上で回しても、これらのものを傷付けないようにする。【解決手段】直円錐台形の胴１１と、胴１１の回転軸となる心棒１３と、心棒１３を中心として回転する胴１１の偏心回転を防止するバランスリング１５とよりなり、前記胴１１は、その頂面１１ａ側の軸心部に前記心棒１３を着脱可能に挿入する穴１２を有し、その底面１１ｂ側の周縁部に前記バランスリング１５を着脱可能に嵌着する環状凹部１４を有し、前記心棒１３は、その先端が球面状となっていることを特徴とする組立てこま。【選択図】        図２
2004154473.tif 000002
【特許請求の範囲】
【請求項１】
直円錐台形の胴と、胴の回転軸となる心棒と、心棒を中心として回転する胴の偏心回転を防止するバランスリングとよりなり、前記胴は、その頂面側の軸心部に前記心棒を着脱可能に挿入する穴を有し、その底面側の周縁部に前記バランスリングを着脱可能に嵌着する環状凹部を有し、前記心棒は、その先端が球面状となっていることを特徴とする組立てこま。
【発明の詳細な説明】
【０００１】
【発明の属する技術分野】
この発明は、組立てと分解が可能な組立てこまに関するものである。
【０００２】
【従来の技術】
従来の組立てこまＫは、図５及び図６に示すように、直円錐台形の胴１の頂面１ａ側の軸心部に設けた穴２に心棒３を挿入し、胴１の底面１ｂ側の周縁部に設けた環状凹部４にバランスリング５を嵌着することによって組立てることができる。組み立てたこまＫは、使用しなければ、必要に応じ分解することができる。
【０００３】
図７は、組み立てたこまＫを回す場合の紐６の巻き付け要領を示したものである。
【０００４】
【発明が解決しようとする課題】
従来の組立てこまＫは、上述のように、組立て分解ができる構成となっているので、これを回す子供たちにとっては、組立て分解の楽しさがあり、胴、心棒、バランスリングの各構成部材の機能（働き）を改めて考えさせる教材にもなっている。
【０００５】
しかし、従来のこまＫは、図５〜７に示すように、心棒３の先端が円錐状に尖った形状になっているので、畳、じゅうたん、板床などの上で回すと、これらのものを傷付ける。
【０００６】
それだけでなく、こまＫを投げ出して回すときに、心棒３の先端が誤って人に当ってその身体を傷付けることがあり、危険である。
【０００７】
この発明は、このような従来の問題点を解決するためになされたもので、組立て分解の楽しさがあり、かつ教材として利用できるだけでなく、畳、じゅうたん、板床などの上で回しても、それらのものを傷付けるおそれがなく、誤って人にぶつけても、その身体を傷付けるおそれのない組立てこまを提供することを目的とする。
【０００８】
【課題を解決するための手段】
この発明が提供する組立てこまは、直円錐台形の胴と、胴の回転軸となる心棒と、心棒を中心として回転する胴の偏心回転を防止するバランスリングとよりなり、前記胴は、その頂面側の軸心部に前記心棒を着脱可能に挿入する穴を有し、その底面側の周縁部に前記バランスリングを着脱可能に嵌着する環状凹部を有し、前記心棒は、その先端が球面状となっているものである。
【０００９】
【発明の実施の形態】
以下、この発明の実施の形態を実施例によって図面を参照しながら説明する。
【００１０】
図１は、実施例の組立てこまの斜視図、図２は図１の縦断面拡大図、図３及び図４は実施例の組立てこまの組立て要領を示す斜視図である。
【００１１】
図において、１１は直円錐台形の胴、１３は胴１１の回転軸となる心棒、１５は心棒１３を中心として回転する胴１１の偏心回転を防止するバランスリングである。
【００１２】
胴１１は、その頂面１１ａ側の軸心部に前記心棒１３を着脱可能に挿入する穴１２を有しており、その底面１１Ｂ側の周縁部に前記バランスリング１５を着脱可能に嵌着する環状凹部を有している。
【００１３】
心棒１３の先端は球面となっている。実施例の組立てこまＫ１は、心棒１３の先端部が球面となっている点で、従来の組立てこまＫ（図５，６）と異なっている。
【００１４】
実施例の組立てこまＫ１は、次の要領で組み立てることができる。
【００１５】
すなわち、図３に示すように、直円錐台形の胴１１の帳面１１ａ側の軸心部に設けた穴１２に心棒１３を挿入する。
【００１６】
ついで、図４に示すように、胴１１の底面１１ｂ側の周縁部に設けた環状凹部１４にバランスリング１５を嵌着する。
【００１７】
一旦、組み立てたこまＫ１は、心棒１３とバランスリング１５を胴１１から取り外すことによって分解できる。
【００１８】
実施例の組立てこまＫ１は、上述のように、胴１１と心棒１３とバランスリング１５の３つの構成部材でできていて、組立て分解が可能になっているので、これを回す人、特に子供達に組立て分解の楽しさを与えるだけでなく、各構成部材の機能をあらためて考える機会を与えることができる。
【００１９】
また、組立てこまＫ１は、心棒１３の先端が球面となっているので、畳、じゅうたん、板床などの上で回してもこれらのものを傷付けるおそれがない。さらに、こまＫ１を回すために投げ出して誤って人に当てることがあっても、その身体を傷付けるおそれもない。
【００２０】
なお、上記実施例では、心棒１３の先端を球面としたが、これに近い球面状とすることもできる。楕円球面としてもよい。
【００２１】
【発明の効果】
以上説明したように、この発明の組立てこまは、胴、心棒、バランスリングの３つの構成部材で構成し、組立てと分解ができるようにしたので、次の（１）〜（４）に記載の効果を奏する。
【００２２】
（１）こまを回す人に、その組立てと分解の操作を楽しむ機会を与えることができる。
【００２３】
（２）こまを回す人に、その組立てと分解の操作の過程で構成部材の機能をあらためて考える機会を与えることができる。
【００２４】
（３）こまを回す人が誤ってこれを人にぶつけることがあっても、心棒形状が原因で、その人を傷付けるおそれがなくなる。
【００２５】
（４）畳、じゅうたん、板床などで回しても、これらのものを傷付けない。
【図面の簡単な説明】
【図１】実施例の組立てこまの斜視図
【図２】図１の組立てこまの縦断面拡大図
【図３】図１の組立てこまの組立て要領を示す斜視図
【図４】図１の組立てこまの組立て要領を示す斜視図
【図５】従来の組立てこまの斜視図
【図６】図５の組立てこまの縦断面拡大図
【図７】図５の組立てこまの使用要領を示す斜視図
【符号の説明】
Ｋ１  組立てこま
１１  直円錐台形の胴
１１ａ  頂面
１１ｂ  底面
１２  穴
１３  心棒
１４  環状凹部
１５  バランスリング
【図１】
2004154473.tif 000003
【図２】
2004154473.tif 000004
【図３】
2004154473.tif 000005
【図４】
2004154473.tif 000006
【図５】
2004154473.tif 000007
【図６】
2004154473.tif 000008
【図７】
2004154473.tif 000009
(57)【要約】【課題】家庭用電源により、仏壇用吊り灯籠の消灯忘れをなくし、省エネルギーに役立つ仏壇用吊り灯籠のタイマー装置を提供する。【解決手段】最大１時間最小１分のタイマーリレー（３）及びトライアック（６）及び点灯用マイクロスイッチ（８）により構成される駆動回路よりなるタイミング回路によるタイマー装置であり、御鈴用の鈴棒を持ち上げることで、自動的に仏壇用吊り灯籠（１２）が点灯することが特徴である。【選択図】  図１
2004154499.tif 000002
【特許請求の範囲】
【請求項１】
仏壇用吊り灯籠に電源を供給するための電源供給部と電源供給をオンオフ制御するタイマー機構部と、御鈴用の鈴棒を持ち上げることで、前記タイマー機構部が作動する装置を備たことを特徴とする仏壇用吊り灯籠の消灯忘れを防止するタイマー装置。
【発明の詳細な説明】
【０００１】
【発明の属する技術分野】
本発明は、仏壇用吊り灯籠の消灯忘れを防止するタイマー装置に関するものである。
【０００２】
【従来の技術】
従来の仏壇用吊り灯籠は、プラグをコンセントに差し込むだけである。
【０００３】
【発明が解決しょうとする課題】
これは次のような欠点があった。
従来の仏壇用吊り灯籠では、プラグをコンセントに差し込むだけでは、消灯忘れを防止することは不可能であり、又手動スイッチを設けたとしても、
やはり消灯忘れを発生する可能性があり、エネルギーの無駄使いである。
本発明は、スイッチの自動化と共に、以上の欠点を解決するためになされたものである。
【０００４】
【課題を解決するための手段】
仏壇用吊り灯籠に電源を供給するための電源供給部と電源供給をオンオフ制御するタイマー機構部と、御鈴用の鈴棒を持ち上げることで前記タイマー機構部が作動する、本発明は以上の構成よりなる仏壇用吊り灯籠の消灯忘れを防止するタイマー装置である。
【０００５】
【発明の実施の形態】
以下、本発明の実施の形態について具体的に図２を用いて説明する。
（イ）  タイマーリレー（３）とトライアック（６）と抵抗（７）とヒューズ（２）を基板に組み込み、本装置用ケース（１３）に組み入れる。
（ロ）  御鈴棒台（１５）に点灯用マイクロスイッチ（８）と中断用押しボタンスイッチ（９）を組み込み、御鈴棒台用電線（１７）を付ける。
（ハ）  本装置用プラグ付きコード（１）と仏壇用吊り灯籠の差し込みプラグ付きコード（１０）と御鈴棒台用電線（１７）を本装置用ケース（１３）に組み込む。
（ニ）  本装置用ケース（１３）に本装置用ケース取付け板（１８）を取り付ける。
（ホ）  仏壇の天井に本装置用ケース取付け板（１８）を吊り灯籠用フック（１９）で取付ける。
（ヘ）  仏壇用吊り灯籠（１２）を吊りさげ、仏壇用吊り灯籠の差し込みプラグ付きコード（１０）と仏壇用吊り灯籠のプラグ（１１）を結合させる。
（ト）  御鈴棒台（１５）に鈴棒（１６）を乗せる。
次に本発明の動作について図１を用いて説明する。
（イ）  時間設定変更ダイヤル（１４）を１分から６０分までの好みの時間に設定する。
（ロ）  御鈴棒台（１５）より鈴棒（１６）を持ち上げると点灯用マイクロスイッチ（８）が自動的に作動し、トライアック（６）が動作する。
（ハ）  トライアック（６）の動作により、タイマーリレー（３）が作動すると同時にタイマーリレーの接点ａ（４）とタイマーリレーの接点ｂ（５）が作動し、
タイマーリレーの接点ａ（４）によりタイマーリレー（３）が自己保持され、同時にタイマーリレーの接点ｂ（５）により、仏壇用吊り灯籠（１２）が点灯する。
（ニ）  タイマーリレー（３）が自己保持すれば、鈴棒（１６）を置いて点灯用マイクロスイッチ（８）が解除されても、仏壇用吊り灯籠（１２）は点灯し続ける。
（ホ）  時間設定変更ダイヤル（１４）で設定された時間後に、仏壇用吊り灯籠（１２）は消灯される。
（ヘ）  本発明の装置では、途中で消灯したい場合、中断用押しボタンスイッチ（９）を押すことにより、タイマーリレー（３）の回路が解除されて、タイマーリレーの接点ａ（４）とタイマーリレーの接点ｂ（５）が解放となり、仏壇用吊り灯籠（１２）は消灯される。
次に本発明の設置方法について説明する。
（イ）  本発明の装置を設置する場合、現在お持ちの仏壇用吊り灯籠でも、仏壇の天井に吊り灯籠用フック（１９）により吊りさげる事が出来る。
（ロ）  本発明の装置は、仏壇の大小により、吊り灯籠の位置が変更出来る様に、本装置用ケース取付け板（１８）を備えた装置である。
【０００６】
【発明の効果】
本発明の装置は、一度時間設定すれば、その都度設定することなく、常に同じ時間設定で作動する、又時間設定の変更も出来るので、鈴棒（１６）を持ち上げるだけで、手動の点灯用スイッチを設けなくても、仏壇用吊り灯籠が点灯及び消灯することが本発明の特徴である、したがって仏壇用吊り灯籠の消灯忘れが無くなり、省エネルギーに役立つ装置である。
【図面の簡単な説明】
【図  １】本発明の回路図
【図  ２】本発明の斜視図
【符号の説明】
１    本装置用プラグ付きコード
２    ヒューズ
３    タイマーリレー
４    タイマーリレーの接点ａ
５    タイマーリレーの接点ｂ
６    トライアック
７    抵抗２．２ＫΩ
８    点灯用マイクロスイッチ
９    中断用押しボタンスイッチ
１０    仏壇用吊り灯籠の差し込みプラグ
１１    仏壇用吊り灯籠のプラグ
１２    仏壇用吊り灯籠
１３    本装置用ケース
１４    時間設定変更ダイヤル
１５    御鈴棒台
１６    鈴棒
１７    御鈴棒台用電線
１８    本装置ケース取付け板
１９    吊り灯籠用フック
【図１】
2004154499.tif 000003
【図２】
2004154499.tif 000004
(57)【要約】従来のコンドーム、ペッサリーなどの避妊具と違い、磁性を持たせることにより、磁気が性器組織の血行を促進し、性交行為をより円滑にしたり、避妊具の認識を改めるさせる要素を持もつ発明である。【課題】避妊具を装着した際の、より円滑で自然な性交行為の実現。避妊具という使用目的から来るイメージの改善。こうした要素などによる避妊具の使用率の向上と、不用意な妊娠・中絶、性病の罹患・拡散の防止。【解決手段】本発明の避妊具は、磁性が性器組織の血行を促し、装着することにより、性交行為をより円滑にする。また保管の際や使用の際も、磁性を帯びている事で従来の避妊具のイメージを改善し、結果より避妊具の使用率を向上させ、不用意な妊娠・中絶、性病の罹患・拡散の防止を実現する。【特許請求の範囲】
【請求項１】
コンドーム、ペッサリーなど避妊具に磁性を持たせることにより、磁性が性器組織の血行を促し、性交行為をより円滑にする物。
【請求項２】
コンドーム、ペッサリーなど避妊具に磁性を持たせることにより、スチール製のモノに付着する、例えば冷蔵庫のドアに付着させて置いたりという、避妊具のイメージを改善しうる保管方法を提供する物。
【請求項３】
請求項１、請求項２により、円滑な性行為を行えるという、メンタル的側面から、性交行為をより円滑にする物。
【発明の詳細な説明】
【０００１】
【発明の属する技術分野】
本発明は、性交時の避妊具に関するものである。更に詳しくは、避妊具を使用した円滑な性交行為を著しく効率化する機能を有する物に関するものである。
【０００２】
【従来の技術】
従来の避妊具では、精子を卵子に受精させないことを目的とし、シリコン等のゼリーやパウダーを用いてその円滑な装着を解決していたが、どうしても装着時に自然な性交行為の流れを分断するため、違和感があった。またその使用目的上、保管場所に考慮することも多分にあった。また使用することによりメンタル面では避妊や性病に対する安心感は提供できるが、特に性交行為を更に円滑にするという満足感までは提供しきれなかった。
【発明が解決しようとする課題】
【０００３】
従来のコンドーム、ペッサリーなど避妊具は、装着時に自然な性交の流れを分断するため、性器組織の血行は一時的に減少することになるが、請求項１により、これらの避妊具に磁性を持たせることにより、これを解決する。
【０００４】
従来のコンドーム、ペッサリーなど避妊具は、性交行為の際に使用するが、請求項１により、これらの避妊具に磁性を持たせることにより、および請求項３により、メンタル的側面から、性交時に十分な勃起が得られないために、あるいは十分な勃起が維持できないため満足な性交が得られない状態の男性器組織の血行を促し、これを解決する。
【０００５】
従来のコンドーム、ペッサリーなど避妊具は、その使用目的上、保管時にあまり人目に付くのは道徳に反するイメージを伴いがちであったが、請求項２により、これらの避妊具に磁性を持たせることにより、従来の使用目的外に機能を持たせ、これを解決する。
【０００６】
請求項１と請求項２を解決する手段を提供することにより、請求項３を解消することを課題とする。
【課題を解決するための手段】
【０００７】
請求項１に記載の発明は、避妊具の製造上の原材料に磁性を帯びた原料を混入することにより、避妊具自体が磁性を有することを特徴とする。
【０００８】
請求項２に記載の発明は、避妊具の製造上の原材料に磁性を帯びた原料を混入すること、及びパッケージに避妊具の磁性を通過させる、または磁性を帯びさせることにより、未開封の避妊具のパッケージ自体が磁力を有することを特徴とする。
【０００９】
請求項３に記載の発明は、請求項１および請求項２の提供、解決する機能を、パッケージのキャッチコピーや宣伝広告によって、明確に印象づけることを特徴とする。
【発明の実施の形態】
勤務先の取引先である磁石メーカーの新規事業として、避妊具メーカーとのタイアップ商品を企画提案し、生産販売する、または避妊具メーカーへ新商品として企画提案し、生産販売する意向。
【発明の効果】
本発明は以上に説明したような構成により次のような効果を奏する。
請求項１に記載されている発明は、性交行為をより円滑にするので、豊かな性生活を送ることができ、男女間の円満を促進し、また避妊具の使用自体を推進するため、不用意な妊娠・中絶を防ぎ、不用意な性病の罹患、拡散を防ぐことができる。
請求項２に記載されている発明は、性交行為をより円滑にするとともに、避妊具のイメージを改善することができ、男女間の円満を促進し、また避妊具の使用自体を推進するため、特に若年層の不用意な妊娠・中絶を防ぎ、不用意な性病の罹患、拡散を防ぐことができる。
請求項３に記載されている発明は、メンタル的側面から、性交時に十分な勃起が得られないために、あるいは十分な勃起が維持できないため満足な性交が得られない状態の男性器組織の血行を促し、性交行為をより円滑にするので、豊かな性生活を送ることができ、男女間の円満を促進し、また避妊具の使用自体を推進するため、不用意な妊娠・中絶を防ぎ、不用意な性病の罹患、拡散を防ぐことができる。
(57)【要約】      （修正有）【課題】（１）いかに安易に、目立つことなく使用出来、的確な成果が発揮出来るかを課題とする。（２）鞄などを持つことにより発生・蓄積される肩こり・筋肉疲労などを磁気により血行促進し和らげることを課題とする。【解決手段】（１）例えば、をネクタイの中に磁気を帯びた芯を内蔵させて、日常の生活でほとんどの場合使用する状況を作り出す。（２）リュックサックやトートバッグ、ショルダーバッグなどのベルト・バンドの裏面に磁気によるツボ刺激装置を使用し、通常通り使用しながら従来よりも快適な生活環境を作り出す。【選択図】なし【特許請求の範囲】
【請求項１】
磁気を有するＣ字状、又はＯ字状のものを着衣の襟の内側または首周辺の身体に直接接触するように使用し、血行を促進する、または身体のツボを刺激する、またはコリを解消する、またはストレスを解消する、または疲労を回復する商品。
【請求項２】
ネクタイに磁気を持たせ、首周りに着用中に、血行を促進する、または身体のツボを刺激する、またはコリを解消する、またはストレスを解消する、または疲労を回復する商品。
【請求項３】
マフラーに磁気を持たせ、首周りに着用中に、血行を促進する、または身体のツボを刺激する、またはコリを解消する、またはストレスを解消する、または疲労を回復する商品。
【請求項４】
スカーフに磁気を持たせ、首周りに着用中に、血行を促進する、または身体のツボを刺激する、またはコリを解消する、またはストレスを解消する、または疲労を回復する商品。
【請求項５】
ネックウォーマーに磁気を持たせ、首周りに着用中に、血行を促進する、または身体のツボを刺激する、またはコリを解消する、またはストレスを解消する、または疲労を回復する商品。
【請求項６】
リュックサックなど体の背面に装着する鞄から伸びる帯状のものの裏面に磁気や突起を有するパッド状のものを装着し、血行を促進し、ツボを刺激し、コリを解消し、ストレスを解消し、疲労を回復する商品。
【請求項７】
ウエストバッグなど腰の付近に装着する鞄から伸びる帯状のものの裏面に磁気や突起を有するパッド状のものを装着し、血行を促進し、ツボを刺激し、コリを解消し、ストレスを解消し、疲労を回復する商品。
【請求項８】
トートバッグなど袋状又は袋状のものに開閉装置が付いた鞄から伸びる帯状のものの裏面に磁気や突起を有するパッド状のものを装着し、血行を促進し、ツボを刺激し、コリを解消し、ストレスを解消し、疲労を回復する商品。
【請求項９】
ショルダーバッグなど袋状もしくは袋状のものに開閉装置が付いた鞄から伸びる帯状のものの裏面に磁気や突起を有するパッド状のものを装着し、血行を促進し、ツボを刺激し、コリを解消し、ストレスを解消し、疲労を回復する商品。
【請求項１０】
市販品の鞄等の帯状のものに安易に着脱固定できる、磁気や突起を有するパッド状のものにより血行を促進し、ツボを刺激し、コリを解消し、ストレスを解消し、疲労を回復する商品。
【請求項１１】
請求項１、２、３、４、５、６、７、８、９、１０、を複数あわせた商品。
【発明の詳細な説明】
【０００１】
【発明の属する技術分野】
本発明は、磁気を利用した保健に関するものである。更に詳しくは請求項１、２、３、４、５、６、１１に該当するものに磁気を持たせて日常的に使用する頻度の高い洋服を着用する際に併用して磁気により健康を促すものである。
【０００２】
【発明の属する技術分野】
本発明は、磁気を利用した保健に関するものである。更に詳しくは、請求項７、８、９、１０、１１、に該当する日常的に使用する頻度の高いカバン類の帯状ものに磁気を持たせて使用する際に健康を促すものである。
【０００３】
【従来の技術】
従来は、磁気ネックレスや磁石付きシール等を直接装着していた。
【０００４】
【従来の技術】
従来、かばんなどは、重さを和らげる素材を使用したものや通気性に優れた物を使用し、快適な使用感を提供しようとしていた。
【０００５】
【発明が解決しようとする課題】
これまでの磁気付きのシールや磁気ネックレスでは金属や粘着面が直接肌に触れるために肌荒れや様々な問題が発生する可能性がある。また、視界に入れば使用していることが一目瞭然で気兼ねない使用を妨げている。
【０００６】
【発明が解決しようとする課題】
これまでのかばんなどは、重いものを運搬するとき、もしくは軽いものでも長時間運搬するときなどに、どうしてもその帯状の部分などで血行が阻害されるため肩こり・筋肉疲労などが起きやすい。
【０００７】
【課題を解決するための手段】
請求項１、２、３、４、５、６、１１に該当する、日常身につけるものに磁気を有する素材を使用することにより、従来より簡便に磁気商品を利用出来るようにし、装着感なくごく自然に使用することができる。
【０００８】
【課題を解決するための手段】
請求項７、８、９、１０、１１、に該当するものの帯状の部分の裏面に磁気を有する素材を使用することにより、血行阻害を、肩こり・筋肉疲労など低減する。
【０００９】
【発明の実施の形態】
勤務先の取引先である磁石メーカーの新規事業として、衣料品、衣料装飾品、鞄を製造しているメーカーとのタイアップ商品を企画提案し、生産販売する意向。請求項１については磁石メーカーの新商品企画として提案し、生産販売する意向。または衣料品、衣料装飾品、鞄を製造しているメーカーへ新商品として企画提案し、生産販売する意向。
【００１０】
【発明の効果】
従来の製品を使用する際に比較し、安易に日常的に磁気を利用し、また見た目もわかりづらく、より自然な状態で健康を維持することを可能にし、請求項１、２、３、４、５、６、７、８、９、１０、１１に該当する効果を得ることが出来る。
(57)【要約】【課題】患者は、手元の操作スイッチを押すことにより椅子の一部を少し動かすことができ、長時間椅子に座っている時の辛さを緩和するようにする。【解決手段】患者が治療椅子１に座った状態で操作することのできる操作スイッチ２０を有する。この操作スイッチ２０を押した時に、治療椅子１の一部、例えば、バックレスト１２、レッグレスト１４、フットレスト１５等がある時間毎に動く。【選択図】        図１
2004154408.tif 000002
【特許請求の範囲】
【請求項１】
患者が治療椅子に座った状態で操作することのできる操作スイッチを有し、該操作スイッチを操作した時に、前記治療椅子の一部が所定時間毎に動作することを特徴とする歯科治療椅子。
【請求項２】
前記動作する部分は、前記治療椅子のバックレスト、レッグレスト、フットレストのいずれか１又は複数であることを特徴とする請求項１に記載の歯科治療椅子。
【請求項３】
前記操作スイッチが押された時は、当該治療椅子の姿勢を制御する他のスイッチが操作されるまで、前記動作が続行されることを特徴とする請求項１又は２に記載の歯科用治療椅子。
【請求項４】
前記操作スイッチを押した後、当該治療椅子の姿勢を制御する他のスイッチが操作される前に、該操作スイッチを押した時は、前記動作が停止されることを特徴とする請求項１又は２に記載の歯科用治療椅子。
【発明の詳細な説明】
【０００１】
【発明の属する技術分野】
本発明は、歯科治療椅子、より詳細には、患者が歯科治療椅子に座って医師の治療を待っている間、患者の操作によって、該歯科治療椅子のバックレスト、レッグレスト、フットレスト等を少し動かせるようにし、患者をリラックスさせるようにした機能を有する歯科治療椅子に関する。
【０００２】
【従来の技術】
図１は、本発明が適用された歯科治療椅子を有する歯科治療ユニットの一例を示す全体構成図で、該歯科治療ユニットは、治療椅子１，ワークテーブル２，スピットン３，無影灯４，インスツルメントホルダー５，フットコントローラ６，アシスタント用インスツルメントホルダー７等から成り、インスツルメントホルダー５には、歯科治療において使用する種々のインスツルメント８が収納されており、周知のように、歯科治療に当り、患者は歯科治療椅子１に座り、頭を安頭台１１に固定し、一般的には、腕を肘受け１６に乗せて治療を受ける。治療中、術者は治療椅子１を上下動，起倒，傾斜動等させて、患者を治療しやすい姿勢にして治療を行う。
【０００３】
【発明が解決しようとする課題】
歯科治療に当り、患者は、歯科治療椅子に座り、術者の治療を待つが、その待ち時間が長かったり、また、治療中でも術者が席を離れてしまい、その間の待ち時間が長かったりすることがあるが、その間、患者は、黙って治療椅子１に座っているしかなく、苦痛であった。座っているのが苦しくなれば、身体を少しずらす等して、その辛さを緩和していた。
【０００４】
本発明は、上述のごとき実情に鑑みてなされたもので、患者が治療椅子１に座った後、治療が始まるまで、または、治療中に先生が席を離れている間等において、患者は、手元の操作スイッチを押すことにより、治療椅子１の、例えば、バックレスト１２、レッグレスト１４、フットレスト１５等を少し動かすことができ、従来、患者自身が身体をずらす等していた動作と同等の作用を椅子にさせ、長時間椅子に座っている時の辛さを緩和するようにすることを目的としてなされたものである。
【０００５】
【課題を解決するための手段】
請求項１の発明は、患者が治療椅子に座った状態で操作することのできる操作スイッチを有し、該操作スイッチを操作した時に、前記治療椅子の一部が所定時間毎に動作することを特徴としたものである。
【０００６】
請求項２の発明は、請求項１の発明において、前記動作する部分は、前記治療椅子のバックレスト、レッグレスト、フットレストのいずれか１又は複数であることを特徴としたものである。
【０００７】
請求項３の発明は、請求項１又は２の発明において、前記操作スイッチが押された時は、当該治療椅子の姿勢を制御する他のスイッチが操作されるまで、前記動作が続行されることを特徴としたものである。
【０００８】
請求項４の発明は、請求項１又は２の発明において、前記操作スイッチを押した後、当該治療椅子の姿勢を制御する他のスイッチが操作される前に、該操作スイッチを押した時は、前記動作が停止されることを特徴としたものである。
【０００９】
【発明の実施の形態】
図１において、２０は本発明によって設けられた操作スイッチで、該操作スイッチ２０は、患者が座っていて手の届く範囲内、例えば、図示例のように、肘受け１６に設けられており、患者は、該操作スイッチ２０を押すことによって治療椅子１の可動部の一部であるバックレスト１２、レッグレスト１４、フットレスト１５等の１つ又は複数を動かすことができる。
【００１０】
前述のように、患者は、治療椅子１に座った後、治療が始まるまで、または、治療中に先生が席を離れている間、黙って治療椅子１に座っているだけであり、座るのが辛くなれば身体を少しずらすことで辛さを緩和していたが、そのような時、本発明によれば、手元の操作スイッチ２０を押すことにより治療椅子１が少し動き、従来、患者自身が動いていた動作と同等の効果を得ることができる。
【００１１】
レスト動作中、つまり操作スイッチ２０が押された後の治療椅子１の動作中は、治療椅子１が時折動くため、患者の身体の同位置にかかる圧力を分散させることができ、患者は長時間椅子に座っても疲れにくい。
操作スイッチ（レストスイッチ）２０を押してから該治療椅子の姿勢を制御する他のスイッチ例えば、コンターシート１３を上下動するスイッチが押されるまで該治療椅子はレスト動作を続け、該治療椅子１を動かす他の椅子操作スイッチが押されると、該押された椅子操作スイッチに従う動作に移り、待ちの状態から治療態勢に移る。
レスト動作中、治療椅子１のバックレスト１２、レッグレスト１４、フットレスト１５等は、動いては停止し、停止しては動くという動作を繰り返し行うが、その時間間隔および動く範囲は任意の時間、範囲に設定することができる。また、他の椅子操作スイッチが押される前に、該レストスイッチ（操作スイッチ）２０を再度押すと、治療椅子のレスト動作は停止する。
【００１２】
なお、図１には、レストスイッチ（操作スイッチ）２０を歯科治療椅子１の肘受け１６に設けた例を示したが、このレストスイッチ２０は、必ずしも歯科治療椅子１に設ける必要はなく、ワークテーブル２等、患者の手の届く範囲であれば任意所望の箇所でよい。
【００１３】
【発明の効果】
以上の説明から明らかなように、本発明によると、歯科治療椅子に患者が座って待っているとき、ある時間毎にバックレスト、フットレスト、ステップ等治療椅子１の一部が少し動作し、患者をリラックスさせることができる。
【００１４】
また、レスト動作中、治療椅子が時折動作するため、患者の身体の同位置にかかる圧力を分散させることができ、患者が長時間椅子に座っても疲れにくい。
【図面の簡単な説明】
【図１】本発明が適用された歯科治療椅子を有する歯科治療ユニットの一例を示す全体構成図である。
【符号の説明】
１…歯科治療椅子、１２…バックレスト、１３…コンターシート、１４…レッグレスト、１５…フットレスト、２０…操作スイッチ（レストスイッチ）。
【図１】
2004154408.tif 000003
(57)【要約】【課題】装飾用チェーンを使用した指輪において、サイズ調整できるものは、外開き構造が多いが、その構造は、複雑で、部品点数が多いため、高価で重量がかさむ。また、外形に突起物、隙間があり、指に装着使用時、それが衣服等に引かかり、外れやすいか衣服を損傷しやすい。【解決手段】本発明は、留め具を内開き構造とし、内部にチェーン固定用レールを設けることで、外部の突起や隙間を無くして、留め具の不慮の外れを防止し、また、部品点数を少なくすることで、組立が容易で安価な指輪用留め具を提供することを最も主要な特徴とする。【選択図】        図９
2004154466.tif 000002
【特許請求の範囲】
【請求項１】
装飾用チェーンを使用した指輪において、留め具の中側にコの字状のレールを設け、それをチェーンの隙間に当てることにより、サイズ調整可能となる留め具。
【請求項２】
装飾用チェーンを使用した指輪のサイズ調整可能な留め具において、装着時の外れ防止のため、内側に開く構造の留め具。
【発明の詳細な説明】
【０００１】
【発明が属する技術分野】
本発明は、ボールチェーン等の装飾用チェーンを使用した指輪において、サイズ調整を可能とする留め具に関するものである。
【０００２】
【従来の技術】
装飾用チェーンを使用した指輪において、指の太さによりサイズ調整できるものは時計バンドのような外開きのバックル構造が多数あった。
【０００３】
【発明が解決しようとする課題】
解決しようとする課題は、外開き構造は、複雑で、部品点数が多いため、高価で重量がかさむ点にある。また、外形に突起物、隙間があり、指に装着使用時、それが衣服等に引かかり、外れやすいことや衣服を損傷しやすい点にある。
【０００４】
【課題を解決するための手段】
本発明は、留め具を内開きにし、内部にレールを設けることですることで、外部の突起や隙間を無くして、留め具の不慮の外れを防止し、また、部品点数を少なくすることで、組立が容易で安価な指輪用留め具を提供することを最も主要な特徴とする。
【０００５】
【発明の実施の形態】
指輪用留め具で、サイズ調整できるという目的を、最小の部品点数で、美観を損なわずに実現した。
【０００６】
【実施例】
図１、２は、本発明の留め具を使用した装飾用チェーン指輪を示す。
図３、４は、本発明の留め具を分解した外板を示す。
図５、６は、本発明の留め具を分解した内板を示す。
図７、８、９、１０は、本発明の留め具を使用した装飾用チェーン指輪のサイズ調整方法を示す。
【０００７】
本発明の留め具１は外板１０と内板２０で構成されている。外板１０と内板２０はヒンジピン２２で組み付けられており、外板１０と内板２０はヒンジピン２２を中心に開閉出来る構造にあり、閉じる時は外板１０の両側面に内板２０が嵌り込んでロックされる。
【０００８】
また、指輪用チェーン２の一端は、留め具１の外板１０のヒンジピン穴１２側のチェーン固定用レール１３と、内板２０のヒンジピン２２に挟まれて接続固定されいて、他端は何も接続されていない。
【０００９】
指輪のサイズを調整する場合は、指に指輪を装着しない状態で、外板１０と内板２０を開き、チェーン２の長さを決め、チェーン２の端を留め具１に挿入する。留め具１の外板１０のコの字状チェーン固定用レール１１と、チェーンの駒と駒との隙間とを勘合するように調整し、外板１０と内板２０を閉じてロックする。それにより、チェーン固定用レール１１、２１がチェーン２を噛み込んで、チェーン２が留め具１より滑り出して延びるのを防ぐ。
【００１０】
また、指に指輪を装着すると、内板２０が内側に開く構造のため、内板２０は指に干渉し、開くことがなくなり、留め具が開いての不慮の外れを防止できる。
【００１１】
【発明の効果】
以上説明したように本発明の留め具は、部品点数が少ないため安価に製造でき、また容易に組み立てることができる。
【図面の簡単な説明】
【図１】指輪の正面図である。
【図２】指輪の底面図である。
【図３】留め具の外板の背面図である。
【図４】留め具の外板の底面図である。
【図５】留め具の内板の正面図である。
【図６】留め具の内板の底面図である。
【図７】指輪の全体正面断面図である。
【図８】留め具とチェーン結合前の指輪の底面断面図である。
【図９】留め具とチェーン結合時の指輪の底面断面図である。
【図１０】留め具とチェーン結合後の指輪の底面断面図である。
【符号の説明】
１    留め具
２    チェーン
１０  留め具外板
１１  チェーン固定用コの字状レール
１２  ヒンジピン用穴
１３  チェーン固定用レール
２０  留め具内板
２１  チェーン固定用レール
２２  ヒンジピン
【図１】
2004154466.tif 000003
【図２】
2004154466.tif 000004
【図３】
2004154466.tif 000005
【図４】
2004154466.tif 000006
【図５】
2004154466.tif 000007
【図６】
2004154466.tif 000008
【図７】
2004154466.tif 000009
【図８】
2004154466.tif 000010
【図９】
2004154466.tif 000011
【図１０】
2004154466.tif 000012